(57)【要約】【課題】本発明は、ディスク再生装置に関するもので、信頼性を良くすることを目的とするものである。【解決手段】本発明は、光ディスク１０を回転させるスピンドルモータ２０と、このスピンドルモータ２０の軸に固定されたターンテーブル２１と、このターンテーブル２１への光ディスク１０の搬送完了、またはターンテーブル２１から光ディスク１０の排出開始を検出する検出部（本実施形態では、検出板１７）と、この検出部に接続された制御部１１とを備えたディスク再生装置１であって、制御部１１は、検出部がターンテーブル２１への光ディスク１０の搬送完了、またはターンテーブル２１から光ディスク１０の排出開始を検出すると、スピンドルモータ２０を外部から回転させる駆動部を設ける構成としたディスク再生装置。【選択図】図６
2013125558.tif 000002
【特許請求の範囲】
【請求項１】
トラバースシャーシと、このトラバースシャーシに固定され、光ディスクを回転させるスピンドルモータと、このスピンドルモータの軸に固定されたターンテーブルと、このターンテーブルへの前記光ディスクの搬送完了、または前記ターンテーブルから前記光ディスクの排出開始を検出する検出部と、この検出部に接続された制御部とを備えたディスク再生装置であって、
前記制御部は、前記検出部が前記ターンテーブルへの前記光ディスクの搬送完了、または前記ターンテーブルから前記光ディスクの排出開始を検出すると、前記スピンドルモータを外部から回転させる駆動部を設けたディスク再生装置。
【請求項２】
前記駆動部は、前記ターンテーブルに設けた突起と、この突起に接触することにより前記ターンテーブルを回転させる駆動レバーと、この駆動レバーを固定するモード切替板と、このモード切替板に固定された駆動ギアと、この駆動ギアを回転させるモータにより構成し、前記モード切替板は、前記トラバースシャーシに設けたモード切替板支点を中心に回動する請求項１に記載のディスク再生装置。
【請求項３】
前記検出部は、前記光ディスクの搬送完了時に、前記光ディスク外周部に接触する検出板である請求項１に記載のディスク再生装置。
【発明の詳細な説明】
【技術分野】
【０００１】
本発明は、車両などに搭載されるディスク再生装置に関する。
【背景技術】
【０００２】
車両などに搭載されるディスク再生装置は、光ディスクを回転させるスピンドルモータにブラシモータを多く使用している。
【０００３】
このディスク再生装置は、光ディスクを回転させるスピンドルモータと、このスピンドルモータの軸に固定されたターンテーブルと、このターンテーブルへの前記光ディスクの搬送完了、または前記ターンテーブルから前記光ディスクの排出開始を検出する検出部と、この検出部に接続された制御部とを備えたものが知られている（例えば、上記従来の構成に類似する構成を開示する先行文献としては、下記特許文献１が存在する）。
【先行技術文献】
【特許文献】
【０００４】
【特許文献１】特開２００９−７７５２０号公報
【発明の概要】
【発明が解決しようとする課題】
【０００５】
前記従来例における課題は、シロキサンなどの有害ガスがスピンドルモータ（ブラシモータ）の内部に侵入し、モータ整流時に生じる火花により、整流子とブラシの間に酸化物が付着および堆積することにより接点不良が発生し、ディスク再生装置の信頼性が悪くなると言うことであった。
【０００６】
そこで、本発明は、ディスク再生装置の信頼性を良くすることを目的とするものである。
【課題を解決するための手段】
【０００７】
そしてこの目的を達成するために本発明は、光ディスクを回転させるスピンドルモータと、このスピンドルモータの軸に固定されたターンテーブルと、このターンテーブルへの光ディスクの搬送完了、またはターンテーブルから光ディスクの排出開始を検出する検出部と、この検出部に接続された制御部とを備えたディスク再生装置であって、制御部は、検出部がターンテーブルへの光ディスクの搬送完了、またはターンテーブルから光ディスクの排出開始を検出すると、スピンドルモータを外部から回転させる駆動部を設けた構成とし、これにより所期の目的を達成するものである。
【発明の効果】
【０００８】
以上のように本発明は、光ディスクを回転させるスピンドルモータと、このスピンドルモータの軸に固定されたターンテーブルと、このターンテーブルへの光ディスクの搬送完了、またはターンテーブルから光ディスクの排出開始を検出する検出部と、この検出部に接続された制御部とを備えたディスク再生装置であって、制御部は、検出部がターンテーブルへの光ディスクの搬送完了、またはターンテーブルから光ディスクの排出開始を検出すると、スピンドルモータを外部から回転させる駆動部を設ける構成としたので、ディスク再生装置の信頼性を良くすることができるものである。
【０００９】
すなわち、制御部は、検出部がターンテーブルへの光ディスクの搬送完了、またはターンテーブルから光ディスクの排出開始を検出すると、スピンドルモータとは別に光ディス
クを回転させる駆動部を設けた構成とした。したがって、光ディスクがターンテーブルの上にある状態でスピンドルモータ（ブラシモータ）のブラシと整流子の相対位置をずらすことになる。つまり、光ディスクの重さがターンテーブルに加わった状態であるので、非常に効果的に接点不良を解消することができる。したがって、その結果として、ディスク再生装置の信頼性を良くすることができる。
【図面の簡単な説明】
【００１０】
【図１】本発明の実施の形態にかかるカーオーディオ装置を示す図
【図２】同カーオーディオ装置に内蔵するディスク再生装置の斜視図
【図３】同ディスク再生装置の上面図
【図４】同ディスク再生装置の裏面図
【図５】同ディスク再生装置の部分拡大図
【図６】同ディスク再生装置の部分拡大図
【図７】同ディスク再生装置の部分拡大図
【発明を実施するための形態】
【００１１】
以下、本発明の一実施の形態を、図面を用いて説明する。
（実施の形態１）
以下、本発明の実施の形態のディスク再生装置について、図面を用いて説明する。
【００１２】
ディスク再生装置１を内蔵するカーオーディオ装置１００の全体斜視図を図１に示す。
【００１３】
このカーオーディオ装置１００は、ディスク再生装置１のほかにラジオ２、カセットテープ再生装置３等を内蔵しており、前面パネル４には、全機能に共用される表示部５や電源／ボリュームつまみ６に加えて、ディスク再生装置１におけるディスク挿脱口７、ラジオ用のチューニングつまみ８、カセットテープ挿入口９等が設けられている。
【００１４】
図２は、カーオーディオ装置１００に内蔵されるディスク再生装置１の斜視図を示している。図３はディスク再生装置１の上面図、図４はディスク再生装置１の裏面図を示している。
【００１５】
図３、図４を用いて、ディスク再生装置１に挿入された光ディスク１０の搬送について説明する。
【００１６】
まず、ディスク挿脱口７からユーザにより挿入された光ディスク１０は、検知スイッチにより挿入が検知され、制御部１１（なお、検知スイッチおよび制御部１１は、説明の煩雑化を避けるため図示しない）に伝えられる。
【００１７】
制御部１１は、トラバースシャーシ１２に取り付けられたモータ１３が回転することにより、ギア列を経由してゴムローラシャフト１４を回転させる。ゴムローラシャフト１４には、ゴムローラ１５が圧入されており、ゴムローラ１５も同様に回転する。ゴムローラ１５が、光ディスク１０をデッキメカニズム内部に移動させる。なお、モータ１３は、光ディスク１０のローディングと後述する光ピックアップ１６を移動させるトラバース機構の駆動を兼用している。
【００１８】
次に、光ディスク１０は、ゴムローラ１５により光ディスク１０の端面が検出板１７に接触する位置まで搬送される。検出板１７は、検出板支点１８を中心に回転し、光ディスク１０がディスク再生位置まで搬送されたことを検出する検知スイッチを動作させるとともにローディングラック板１９を押す。
【００１９】
この時、説明の煩雑化を避けるため詳細には記載しないが、光ディスク１０を回転させるスピンドルモータ２０の軸に固定されたターンテーブル２１に光ディスク１０を回転可能な状態で固定する。
【００２０】
ここで、検出板１７により押され挿脱口方向へ移動するローディングラック板１９と、このローディングラック板１９の移動により動くモード切替板２２の動作を図５（ａ）、（ｂ）、（ｃ）を用いて説明する。
【００２１】
図５（ａ）は、検出板１７に押される前のローディングラック板１９の位置を示している。図５（ｂ）に示すようにローディングラック板１９が検出板１７に押され、ローディングラック板１９が移動すると、ローディングラック板１９に備えられたラックギアが駆動ギア２３と噛合い、ローディングラック板１９は挿脱口方向へ移動する。なお、駆動ギア２３は、モータ１３とギア（図示しない）を介して駆動されている。
【００２２】
次に、ローディングラック板１９のラックギアは、ギア列の途中から内歯車となっており、この内歯車によりローディングラック板１９の移動が止まる。さらに、駆動ギア２３は、内歯車と噛み合った状態で駆動ギア２５と噛み合い、更に回転を続け、内歯車から外れる。そして、駆動ギア２３は、モード切替板２２にカシメられているため、図５（ｃ）に示すように、モード切替板２２がモード切替板支点２４を中心に回転し、トラバースシャーシ１２にカシメられた駆動ギア２５と噛み合う。
【００２３】
次に、光ディスク１０を回転させるスピンドルモータ２０の軸に固定されたターンテーブル２１の駆動機構について図６、図７を用いて説明する。
【００２４】
ターンテーブル２１は、光ディスク１０のセンターホールに凸部２６が嵌るようになっている。また、ターンテーブル２１は、スピンドルモータ２０のシャフト部に圧入され、スピンドルモータ２０と一体となり回転する。
【００２５】
また、ターンテーブル２１には、ターンテーブル突起部２７が外周部のスピンドルモータ２０側に所定の間隔で設けられている。
【００２６】
先程、図５（ａ）、（ｂ）、（ｃ）を用いてモード切替板２２の動きを説明したが、モード切替板２２とターンテーブル２１の位置関係は、図６、図７のようになっている。そして、図５（ａ）、（ｂ）、（ｃ）には図示していないが、モード切替板２２には、駆動レバー２８が取り付けられている。この駆動レバー２８は、図５（ａ）、（ｂ）、（ｃ）を用いて説明したモード切替板２２の回動により、ターンテーブル突起部２７と接触し、ターンテーブル２１を動かす構造となっている。
【００２７】
ターンテーブル２１は、スピンドルモータ２０のシャフト部に圧入され、スピンドルモータ２０と一体となり回転するので、スピンドルモータ２０のブラシと整流子の相対位置をずらすことになる。
【００２８】
なお、図５（ａ）、（ｂ）、（ｃ）の説明では、光ディスク１０のローディング動作でモード切替板２２が回動する状態を説明したが、イジェクト動作では、ローディング動作と反対方向に回動する。このイジェクト動作では、ユーザが前面パネル４に設けたディスク排出ボタンを操作することにより、光ディスク１０の排出開始を検出する。
【００２９】
以上説明したように、本実施形態では、光ディスク１０を回転させるスピンドルモータ２０と、このスピンドルモータ２０の軸に固定されたターンテーブル２１と、このターンテーブル２１への光ディスク１０の搬送完了、またはターンテーブル２１から光ディスク
１０の排出開始を検出する検出部（本実施形態では、検出板１７）と、この検出部に接続された制御部１１とを備えたディスク再生装置１であって、制御部１１は、検出部がターンテーブル２１への光ディスク１０の搬送完了、またはターンテーブル２１から光ディスク１０の排出開始を検出すると、スピンドルモータ２０を外部から回転させる駆動部を設ける構成としたので、ディスク再生装置１の信頼性を良くすることができるものである。
【００３０】
すなわち、制御部１１は、検出部がターンテーブル２１への光ディスク１０の搬送完了、またはターンテーブル２１から光ディスク１０の排出開始を検出すると、スピンドルモータ２０を外部から回転させる駆動部を設けた構成とした。したがって、光ディスク１０がターンテーブル２１の上にある状態でスピンドルモータ２０（ブラシモータ）のブラシと整流子の相対位置をずらすことになる。つまり、光ディスク１０の重さがターンテーブル２１に加わった状態であるので、非常に効果的に接点不良を解消することができる。したがって、その結果として、ディスク再生装置１の信頼性を良くすることができる。
【産業上の利用可能性】
【００３１】
以上のように本発明においては、制御部は、検出部がターンテーブルへの光ディスクの搬送完了、またはターンテーブルから光ディスクの排出開始を検出すると、スピンドルモータとは別に光ディスクを回転させる駆動部を設けた構成とした。したがって、光ディスクがターンテーブルの上にある状態でスピンドルモータ（ブラシモータ）のブラシと整流子の相対位置をずらすことになる。つまり、光ディスクの重さがターンテーブルに加わった状態であるので、非常に効果的に接点不良を解消することができる。したがって、その結果として、ディスク再生装置の信頼性を良くすることができる。
【００３２】
したがって、車載用のディスク再生装置としての活用が期待されるものとなる。
【符号の説明】
【００３３】
１００  カーオーディオ装置
１  ディスク再生装置
２  ラジオ
３  カセットテープ再生装置
４  前面パネル
５  表示部
６  電源／ボリュームつまみ
７  ディスク挿脱口
８  ラジオ用のチューニングつまみ
９  カセットテープ挿入口
１０  光ディスク
１１  制御部
１２  トラバースシャーシ
１３  モータ
１４  ゴムローラシャフト
１５  ゴムローラ
１６  光ピックアップ
１７  検出板
１８  検出板支点
１９  ローディングラック板
２０  スピンドルモータ
２１  ターンテーブル
２２  モード切替板
２３、２５  駆動ギア
２４  モード切替板支点
２６  凸部
２７  ターンテーブル突起部
２８  駆動レバー
【図１】
2013125558.tif 000003
【図２】
2013125558.tif 000004
【図３】
2013125558.tif 000005
【図４】
2013125558.tif 000006
【図５】
2013125558.tif 000007
【図６】
2013125558.tif 000008
【図７】
2013125558.tif 000009